(57)【要約】【課題】  無駄な空きスペースを削減してレンズ群同士を密着させることによって更なる短縮化を図ることができるレンズ鏡胴と、そのレンズ鏡胴がボディに組み込まれた撮影装置を提供すること。【解決手段】沈胴時には少なくとも第４レンズ群４４０を進退機構により撮影光軸から退避させる。沈胴時には第１レンズ群４１０、第３レンズ群４３０を光軸に並べて詰め込み、さらに第４レンズ群４４０をそれらのレンズの上下左右のいずれかに詰め込み、さらに第２レンズ群４２０もそれらのレンズの上下左右のいずれかに詰め込むことでレンズ鏡胴の短縮化を図る。繰出時には進退機構により第２レンズ群４２０と第４レンズ群４４０を撮影光軸に進出させて大きく繰り出す。【選択図】  図９
2005284247.tif 000002
【特許請求の範囲】
【請求項１】
複数のレンズ群により構成されたズームレンズを保持した、繰出し、沈胴自在なレンズ鏡胴において、
前記ズームレンズを構成する複数のレンズ群のうちの最前方の第１レンズ群を保持する第１レンズ群保持枠と、前記ズームレンズを構成する複数のレンズ群のうちの最前方から２番目の第２レンズ群を保持する第２レンズ群保持枠とを備え、
前記第２レンズ群保持枠が光軸方向前方にバネ付勢されたものであり、
前記第１レンズ群保持枠が、沈胴時に前記第２レンズ群保持枠を光軸方向に押圧するとともに繰出時には該第２レンズ群保持枠から離間する押圧部を有するものであることを特徴とするレンズ鏡胴。
【請求項２】
固定筒と、その固定筒に進退自在に係合した直進キー部材と、その直進キー部材に回転自在に係合するとともに上記固定筒との間のカム係合により回転に伴って進退する中間筒と、上記直進キー部材に進退自在に係合するとともに上記中間筒との間のカム係合によりその中間筒の回転に応じて進退する前筒とを備え、
前記第１レンズ群保持枠が、前記前筒に固定されたものであることを特徴とする請求項１記載のレンズ鏡胴。
【請求項３】
前記中間筒との間のカム係合により該中間筒の回転に応じて進退する第２レンズ群支持枠を備え、前記第２レンズ群保持枠が、前記第２レンズ群支持枠に、光軸方向前方にバネ付勢されたものであることを特徴とする請求項２記載のレンズ鏡胴。
【請求項４】
沈胴時に、前記第２レンズ群保持枠を回動させることにより前記第２レンズ群を前記ズームレンズの光軸から退避させるとともに繰出時には該第２レンズ群を該光軸上に進出させる第２レンズ群退避機構を備え、
前記押圧部は、沈胴時に退避した状態の第２レンズ群保持枠を押圧するものであることを特徴とする請求項１記載のレンズ鏡胴。
【請求項５】
複数のレンズ群により構成されたズームレンズを保持した、繰出し、沈胴自在なレンズ鏡胴を備え、該レンズ鏡胴に保持されたズームレンズを経由して入射してきた被写体光を捉えることにより撮影を行う撮影装置において、
前記レンズ鏡胴が、前記ズームレンズを構成する複数のレンズ群のうちの最前方の第１レンズ群を保持する第１レンズ群保持枠と、前記ズームレンズを構成する複数のレンズ群のうちの最前方から２番目の第２レンズ群を保持する第２レンズ群保持枠とを備え、
前記第２レンズ群保持枠が光軸方向前方にバネ付勢されたものであり、
前記第１レンズ群保持枠が、沈胴時に前記第２レンズ群保持枠を光軸方向に押圧するとともに繰出時には該第２レンズ群保持枠から離間する押圧部を有するものであることを特徴とする撮影装置。
【請求項６】
前記レンズ鏡胴に保持されたズームレンズを経由して入射してきた被写体光を捉えて画像信号を生成する撮像素子を備えたものであることを特徴とする請求項５記載の撮影装置。
【請求項７】
光軸方向前方から順に第１群、第２群、第３群および第４群からなるズームレンズを保持したレンズ鏡胴において、
沈胴時には、少なくとも前記ズームレンズを保持する第４群レンズを撮影光軸上から退避させるとともに、繰出時には、沈胴時に退避させたレンズ群を撮影光軸上に進出させるレンズ進退機構を備えたことを特徴とするレンズ鏡胴。
【請求項８】
前記第４群レンズは、フォーカスレンズとして作用するものであることを特徴とする請求項７記載のレンズ鏡胴。
【請求項９】
前記レンズ進退機構が、沈胴時には前記第４群レンズを撮影光軸から退避させるとともに前記第２群レンズを光軸方向から見て退避後の前記第４群レンズに重なる位置に退避させるものであることを特徴とする請求項７記載のレンズ鏡胴。
【請求項１０】
前記レンズ鏡胴に保持されたズームレンズを経由して入射してきた被写体光を捉えて画像信号を生成する撮像素子を備えたものであることを特徴とする請求項７記載のレンズ鏡胴。
【請求項１１】
光軸方向前方から順に第１群、第２群、第３群および第４群からなるズームレンズを保持したレンズ鏡胴を備え、該レンズ鏡胴に保持されたズームレンズを経由して入射してきた被写体光を捉えることにより撮影を行う撮影装置において、
前記レンズ鏡胴が、沈胴時には、少なくとも前記ズームレンズを保持する第４群レンズを撮影光軸上から退避させるとともに、繰出時には、沈胴時に退避させたレンズ群を撮影光軸上に進出させるレンズ進退機構を備えたことを特徴とする撮影装置。
【請求項１２】
前記第４群レンズは、フォーカスレンズとして作用するものであることを特徴とする請求項１１記載の撮影装置。
【請求項１３】
前記レンズ進退機構が、沈胴時には前記第４群レンズを撮影光軸から退避させるとともに前記第２群レンズを光軸方向から見て退避後の前記第４群レンズに重なる位置に退避させるものであることを特徴とする請求項１１記載の撮影装置。
【請求項１４】
前記レンズ鏡胴に保持されたズームレンズを経由して入射してきた被写体光を捉えて画像信号を生成する撮像素子を備えたものであることを特徴とする請求項１１記載の撮影装置。
【請求項１５】
複数のレンズ群からなる撮影レンズを収容し、相対的に筒長の短い収納状態と相対的に筒長の長い撮影状態との間で筒長の変更が自在なレンズ鏡胴において、
前記複数のレンズ群のうちの最前方の第１レンズ群を保持する第１レンズ群保持枠と、
前記複数のレンズ群のうちの最前方から２番目の第２レンズ群を保持する第２レンズ群保持枠とを備え、
前記第２レンズ群保持枠が光軸方向前方に付勢手段により付勢されたものであり、
前記第１レンズ群保持枠が、前記収納状態への移行に伴い前記第２レンズ群保持枠を光軸方向に押圧するとともに前記撮影状態には該第２レンズ群保持枠から離間する押圧部を有するものであることを特徴とするレンズ鏡胴。
【請求項１６】
固定筒と、その固定筒に進退自在に係合した直進キー部材と、その直進キー部材に回転自在に係合するとともに上記固定筒との間のカム係合により回転に伴って進退する中間筒と、上記直進キー部材に進退自在に係合するとともに上記中間筒との間のカム係合によりその中間筒の回転に応じて進退する前筒とを備え、
前記第１レンズ群保持枠が、前記前筒に固定されたものであることを特徴とする請求項１５記載のレンズ鏡胴。
【請求項１７】
前記中間筒との間のカム係合により該中間筒の回転に応じて進退する第２レンズ群支持枠を備え、前記第２レンズ群保持枠が、前記第２レンズ群支持枠に、光軸方向前方に前記付勢手段により付勢されたものであることを特徴とする請求項１６記載のレンズ鏡胴。
【請求項１８】
前記収納状態への移行に伴って前記第２レンズ群保持枠を回動させることにより前記第２レンズ群を前記ズームレンズの光軸から退避させるとともに前記撮影状態への移行に伴って該第２レンズ群を該光軸上に進出させる第２レンズ群退避機構を備え、
前記押圧部は、沈胴時に退避した状態の第２レンズ群保持枠を押圧するものであることを特徴とする請求項１５記載のレンズ鏡胴。
【請求項１９】
光軸方向前方から順に第１レンズ群、第２レンズ群、第３レンズ群および第４レンズ群からなる撮影レンズを収容し、相対的に筒長の短い収納状態と相対的に筒長の長い撮影状態との間で筒長の変更が自在なレンズ鏡胴において、
前記収納状態への移行に伴って、少なくとも前記第４レンズ群を撮影光軸上から退避させるとともに、撮影状態への移行に伴って、前記収納状態への移行に伴って退避させたレンズ群を撮影光軸上に進出させるレンズ進退機構を備えたことを特徴とするレンズ鏡胴。
【請求項２０】
前記第４レンズ群は、フォーカスレンズとして作用するものであることを特徴とする請求項１９記載のレンズ鏡胴。
【請求項２１】
前記レンズ進退機構が、収納状態への移行に伴って前記第４レンズ群を撮影光軸から退避させるとともに前記第２群レンズを光軸方向から見て退避後の前記第４群レンズに重なる位置に退避させるものであることを特徴とする請求項１９記載のレンズ鏡胴。
【請求項２２】
前記レンズ鏡胴に保持された撮影レンズを経由して入射してきた被写体光を捉えて画像信号を生成する撮像素子を備えたものであることを特徴とする請求項１９記載のレンズ鏡胴。
【請求項２３】
光軸方向前方から順に第１レンズ群、第２レンズ群、第３レンズ群および第４レンズ群からなる撮影レンズを収容し、相対的に筒長の短い収納状態と相対的に筒長の長い撮影状態との間で筒長の変更が自在なレンズ鏡胴において、
前記収納状態への移行に伴って、少なくとも前記第３レンズ群を撮影光軸上から退避させるとともに、撮影状態への移行に伴って、前記収納状態への移行に伴って退避させたレンズ群を撮影光軸上に進出させるレンズ進退機構を備えたことを特徴とするレンズ鏡胴。
【請求項２４】
前記第３レンズ群は、ズーム用レンズとして作用するものであることを特徴とする請求項２３記載のレンズ鏡胴。
【請求項２５】
前記レンズ鏡胴に保持された撮影レンズを経由して入射してきた被写体光を捉えて画像信号を生成する撮像素子を備えたものであることを特徴とする請求項２３記載のレンズ鏡胴。
【請求項２６】
光軸方向前方から順に第１レンズ群、第２レンズ群、第３レンズ群および第４レンズ群からなる撮影レンズを収容し、相対的に筒長の短い収納状態と相対的に筒長の長い撮影状態との間で筒長の変更が自在なレンズ鏡胴を備え、該レンズ鏡胴に保持された撮影レンズを経由して入射してきた被写体光を捉えることにより撮影を行う撮影装置において、
前記収納状態への移行に伴って、少なくとも前記第３レンズ群を撮影光軸上から退避させるとともに、撮影状態への移行に伴って、前記収納状態への移行に伴って退避させたレンズ群を撮影光軸上に進出させるレンズ進退機構を備えたことを特徴とする撮影装置。
【請求項２７】
前記第４レンズ群は、フォーカスレンズとして作用するものであることを特徴とする請求項２６記載の撮影装置。
【請求項２８】
前記第３レンズ群は、ズーム用レンズとして作用するものであることを特徴とする請求項２６記載の撮影装置。
【請求項２９】
前記レンズ鏡胴に保持された撮影レンズを経由して入射してきた被写体光を捉えて画像信号を生成する撮像素子を備えたものであることを特徴とする請求項２６記載の撮影装置。
【請求項３０】
光軸方向前方から順に第１レンズ群、第２レンズ群、第３レンズ群および第４レンズ群からなる撮影レンズを収容し、相対的に筒長の短い収納状態と相対的に筒長の長い撮影状態との間で筒長の変更が自在なレンズ鏡胴において、
前記収納状態への移行に伴って、前記複数のレンズ群のうちの少なくとも１つのレンズ群を撮影光軸上から退避させるとともに、撮影状態への移行に伴って、前記収納状態への移行に伴って退避させたレンズ群を撮影光軸上に進出させるレンズ進退機構を備えたことを特徴とするレンズ鏡胴。
【請求項３１】
前記レンズ鏡胴に保持された撮影レンズを経由して入射してきた被写体光を捉えて画像信号を生成する撮像素子を備えたものであることを特徴とする請求項３０記載のレンズ鏡胴。
【請求項３２】
光軸方向前方から順に第１レンズ群、第２レンズ群、第３レンズ群および第４レンズ群からなる撮影レンズを収容し、相対的に筒長の短い収納状態と相対的に筒長の長い撮影状態との間で筒長の変更が自在なレンズ鏡胴を備え、該レンズ鏡胴に保持された撮影レンズを経由して入射してきた被写体光を捉えることにより撮影を行う撮影装置において、
前記収納状態への移行に伴って、前記複数のレンズ群のうちの少なくとも１つのレンズ群を撮影光軸上から退避させるとともに、撮影状態への移行に伴って、前記収納状態への移行に伴って退避させたレンズ群を撮影光軸上に進出させるレンズ進退機構を備えたことを特徴とする撮影装置。
【請求項３３】
前記レンズ鏡胴に保持された撮影レンズを経由して入射してきた被写体光を捉えて画像信号を生成する撮像素子を備えたものであることを特徴とする請求項３２記載の撮影装置。
【請求項３４】
光軸方向前方から順に第１レンズ群、第２レンズ群、第３レンズ群および第４レンズ群からなるレンズを収容し、相対的に筒長の短い第１の状態と相対的に筒長の長い第２の状態との間で筒長の変更が自在なレンズユニットを備えた光学装置において、
前記第１の状態への移行に伴って、前記複数のレンズ群のうちの少なくとも１つのレンズ群を撮影光軸上から退避させるとともに、前記第２の状態への移行に伴って、前記第１の状態への移行に伴って退避させたレンズ群を光軸上に進出させるレンズ進退機構を備えたことを特徴とする光学装置。
【発明の詳細な説明】
【技術分野】
【０００１】
本発明は、複数のレンズ群により構成されたズームレンズを保持したレンズ鏡胴、そのレンズ鏡胴に保持されたズームレンズを経由して入射してきた被写体光を捉えることにより撮影を行う撮影装置、および複数のレンズ群からなるレンズを備えた光学装置に関する。
【背景技術】
【０００２】
近年、デジタルカメラが急速に普及しつつあり、小型化、薄型化とともに、益々の高画質化が求められてきている。このニーズに合うデジタルカメラの一つとして、複数のレンズ群で構成されたズームレンズを保持したレンズ鏡胴を備えた、名刺サイズかつ薄型のデジタルカメラが提案され（非特許文献１参照）、製品化もなされている。このデジタルカメラの場合、それまでの薄型のデジタルカメラにおいては電子ズーム機能を用いて高倍率化を図るものが多かった中、光学ズームを備えることにより高画質のズーミングを行うことができる。
【０００３】
このように、益々の小型化、薄型化を実現しつつ、さらに高倍率のズーミングを行うことのできる光学ズームを搭載することが、ユーザニーズの１つの流れとなっている。
【０００４】
ここで、特許文献１には、第４レンズ群からなるズームレンズを備えたレンズ鏡胴を、カム溝の設け方を工夫することにより薄型のカメラボディ内に沈胴させる技術が提案されている。
【０００５】
以下では、この特許文献１に示されているレンズ鏡胴の内部の構成を説明する。
【０００６】
図１，図２および図３は、デジタルカメラに組み込まれたレンズ鏡胴の、光軸に沿う断面図である。この図１〜図３のうちの図１と図２はいずれも繰出状態を示した図である。なお、特許文献１には、図１がテレ端の図、図２がワイド端の図であると記載されている。また、図３は沈胴状態を示した図である。さらに、図４は、レンズ鏡胴を繰り出すときやレンズ鏡胴をカメラボディ内に沈動させるときに作用するカム溝を説明するための展開図である。
【０００７】
図１〜図４を参照してこのレンズ鏡胴１００の構成を説明する。
【０００８】
このレンズ鏡胴１００には、第１レンズ群２１０と第２レンズ群２２０と第３レンズ群２３０と第４レンズ群２４０とからなる４群構成のズームレンズを保持させている。それら４群のレンズ群のうち第２レンズ群２２０を光軸方向に移動させることにより焦点距離調節が行なわれるとともに、第４レンズ群２４０をフォーカスレンズとして作用させ、この第４レンズ群２４０を光軸方向に移動させることによりピント調節が行なわれる。
【０００９】
第１レンズ群２１０は、内筒１１０に保持されている。この内筒１１０には、カムピン１１１が備えられており、このカムピン１１１は、外筒１２０の内周面に設けられたカム溝１２１（図４参照）と係合している。このカムピン１１１は内筒１１０の外周上に不等間隔に３つ設けられており、それらのカムピン１１１と係合するカム溝１２１が外筒１２０の内周に不等間隔に３つ設けられている（図４参照）。したがって、ズームモータ３００の回転が連結ギア３０１（図２参照）から外筒１２０の内周に設けられたギア１２４へと伝えられて外筒１２０が回転するとカム溝１２１の形状に沿って第１レンズ群２１０が内筒１１０とともに繰り出される
また第２レンズ群２２０はレンズ群保持枠２２１に保持されており、そのレンズ群保持枠２２１の円周上にカムピン２２２が不等間隔に３つ設けられている。それらのカムピン２２２が外筒１２０の内周に設けられたカム溝１２２とそれぞれ係合している（図４参照）。また、第２レンズ群２２０のレンズ群保持枠２２１に設けられた貫通孔２２１ａにガイド棒１１３２が挿通されており、外筒１２０が回転するとそのガイド棒１１３２に案内されて第２レンズ群２２０が光軸方向に移動する。そのガイド棒１１３２は先端支持部１１３２ａにより支持されており、第３レンズ群２３０の移動をガイドするガイド棒１１３３ももう一つの先端支持部１１３３ａにより支持されている。これらの先端支持部１１３２ａ，１１３３ａは、２本のガイド棒１１３２，１１３３を各々支持するほか、内筒１１０を支持する部材としても用いられている。これらの先端支持部１１３２ａ，１１３３ａは中間枠１１０１と押さえ環１１０２とを備えており、中間枠１１０１は、内筒１１０の内周に摺動自在に挿入されたものであり、押さえ環１１０２は、その内筒１１０の後端端部に、中間枠１１０１が後方側に動くのを防止するために設けられたものである。中間枠１１０１と押さえ環１１０２にはそれぞれスプリング掛け１１０１ａ、１１０２ｂが設けられており、中間枠１１０１が内筒１１０とともに繰り出されたときにはそのスプリング掛けに掛け渡されたスプリング１１０３により中間枠１１０１が摺動面に沿って先端側へ付勢されて中間枠１１０１が後方へ移動することがないように中間枠１１０１の動きが規制される。
【００１０】
また、外筒１２０には、さらに第３レンズ群２３０のレンズ群保持枠１３１に設けられたカムピン（不図示）が係合するカム溝１２３（図４参照）が、カム溝１２１とカム溝１２２との間に一本設けられている。したがって、ズームモータ２７０の駆動力を連結ギア３０１とギア１２４（図２参照）とを介して外筒１２０が受け取って外筒１２０が回転すると、カム溝１２３の形状に沿って第３レンズ群２３０も光軸方向に移動する。なおこの第３レンズ群２３０を保持するレンズ群保持枠１３０には、シャッタユニット１３１が連結されている。
【００１１】
また、このレンズ群保持枠１３０にも、レンズ群保持枠２２１と同様に貫通孔１３１ａが設けられており、その貫通孔１３１ａが上記ガイド棒１１３２に挿通されている。さらに後述する第４レンズ群２４０を保持するレンズ群保持枠１４０に設けられた貫通孔１４１ａもこのガイド棒１１３２に挿通されている。このように、ここに示す例では、光軸のずれを抑えるべく、第２レンズ群２２０、第３レンズ群２３０、第４レンズ群２４０の移動を共通のガイド棒１１３２に案内させる構成が採用されている。
【００１２】
このような構造を持つレンズ鏡胴１００の繰出動作を、図４を参照して詳細に説明する。
【００１３】
外筒１２０がズームモータ２７０により駆動され回転すると、内筒１１０が沈胴状態からカム溝１２１の形状（符号Ａで示す領域）に沿って繰出位置（符号Ａで示す領域の符号Ｂ側の端部）まで繰り出されてその繰出位置（符号Ｂで示す領域）に保持される。この繰出位置に保持されるまでの間に、第２レンズ群２２０は、カム溝１２２の形状に沿って符号Ｃで示す領域を移動して、内筒１１０が繰出位置まで繰り出されたときに符号Ｃで示す領域の端部に達する。ここでズームスイッチ（不図示）が操作されたら、第２レンズ群２２０は、そのズームスイッチの操作に応じて符号Ｄで示す領域に進入してズームスイッチが操作され続けると符号Ｄ領域の端部まで移動する。一方、第３レンズ群２３０は、外筒１１０が回転したときに沈胴位置からカム溝１２３に沿って繰り出し領域（符号Ｅで示す領域）を移動して繰出位置（符号Ｅと符号Ｆとの交点）に達し、ズームスイッチが操作されてもその繰出位置（符号Ｆで示す領域）に保持されたままになる。
【００１４】
このようにカム溝を外筒１２０の内周にうまく配置することによって、一つの筒１２０の回転により４群のレンズ群のうちの第１レンズ群と第２レンズ群２２０と第３レンズ群２３０とを光軸方向にそれぞれカム溝の形状に沿って移動させて、さらにズームスイッチの操作に応じて第２レンズ群を光軸方向に移動させることによってズーミングが行なわれる。
【００１５】
また、図１〜図３に示すレンズ鏡胴１００では、ズームレンズを構成する４群のレンズ群のうちの最後尾の第４レンズ群２４０をフォーカスレンズとして作用させている。このレンズ鏡胴１００が保持したズームレンズは、ズーム倍率が高倍率のものであるからそのフォーカスレンズとして作用する第４レンズ群２４０を移動させる距離を比較的長くとる必要がある。そこで、この例ではその長い距離分の長さを持つ柱状ネジ１１３１（図１参照）を光軸に沿って設けておき、第４レンズ群２４０を保持するレンズ群保持枠１４０にナット１４１ｂを固定して、そのナット１４１ｂを柱状ネジ１１３１に螺合させて精度良くピントの調整を行うことができるようにしてある。
【００１６】
この柱状ネジ１１３１には、フォーカスモータ（不図示）の回転駆動力が図示しないギア列を介して伝達されて、この柱状ネジ１１３１が回転し、その回転に伴ってレンズ群保持枠１４１が柱状ネジ１１３１の回転に応じた分だけ、その柱状ネジ１１３１とガイド棒１１３２、１１３３とに案内されて光軸方向に移動してピントが調整される。ここでは撮影レンズが被写体を捉え始めたら、撮像素子２００で画像データを生成してその画像データに基づいてピント位置を検出してその検出したピント位置に柱状ネジを回転させてフォーカスレンズとして作用する第４レンズ群２４０を移動させることによりピント調整が行なわれる。
【００１７】
そしてピントの調整が行われた後、シャッタボタン（図示せず）が押されたら、第３レンズ群２３０を保持するレンズ群保持枠１３０に配設されているシャッタユニット１３１がシャッタボタンの全押しに同期して駆動され撮影が行なわれる。これにより、第１レンズ群２１０、第２レンズ群２２０、第３レンズ群２３０、および第４レンズ群（フォーカスレンズ）２４０を経由した被写体光は、撮像素子２８０の受光面に結像して、この撮像素子２８０により、その受光面上に結像した被写体像を表わす画像信号が生成される。
【００１８】
このように複数のカム溝を外筒の内周にうまく配置して内筒とカム係合させ、さらにズームレンズの最後尾のレンズ群をフォーカスレンズとして作用させることによって、レンズ鏡胴の沈胴時の長さが比較的コンパクトなサイズになって比較的薄いボディ内に収納され、レンズ鏡胴が繰り出されたときには高倍率のズーム倍率が達成されるレンズ鏡胴が実現される。
【００１９】
しかし、繰出時には高いズーム倍率が得られるように第１レンズ群や第２レンズ群といった光軸前方のレンズ群を長い距離移動させることができるようにして、沈胴時にそれらのレンズ群を含めて各レンズ群をできるだけ接近させるようにして鏡胴内に押し込めようとすると、沈胴時の長さにあってはレンズ群同士がぶつからない程度の長さにする必要が出てきて、また繰出時にあっては第１レンズ群および第２レンズ群といった光軸前方側のレンズ群を、できるだけ大きく繰り出せるだけの長さにする必要が出てくる。このため、どうしても鏡胴の長さがやや長めになってしまって沈胴時の鏡胴内に無駄な空きスペースが生じてしまう。この沈胴時の無駄な空きスペースは第４レンズ群を光軸方向に精度良く移動させるために光軸方向に沿って長々と設けられたガイド棒や柱状ネジ周辺の部分に多くなる。
【非特許文献１】インタネット＜ＵＲＬ：ｈｔｔｐ：／／ｗｗｗ．ｊｉｊ．ｃｏ．ｊｐ／ｓｅｎｔａｎ／ｊｕｓｙｏｕ／２００３／ｐｅｎｔａｘ／＞
【特許文献１】特開２００３−２９５０３１号公報
【発明の開示】
【発明が解決しようとする課題】
【００２０】
本発明は、上記事情に鑑み、沈胴時（収納状態）の長さを更に短縮化することができるレンズ鏡胴、そのレンズ鏡胴がボディに組み込まれた撮影装置、および相対的に筒長の短かい第１の状態における筒長の長さを更に短縮化することができるレンズを備えた光学装置を提供することを目的とする。
【課題を解決するための手段】
【００２１】
上記課題を達成する本発明の第１のレンズ鏡胴は、複数のレンズ群により構成されたズームレンズを保持した、繰出し、沈胴自在なレンズ鏡胴において、
前記ズームレンズを構成する複数のレンズ群のうちの最前方の第１レンズ群を保持する第１レンズ群保持枠と、前記ズームレンズを構成する複数のレンズ群のうちの最前方から２番目の第２レンズ群を保持する第２レンズ群保持枠とを備え、
上記第２レンズ群保持枠が光軸方向前方にバネ付勢されたものであり、
上記第１レンズ群保持枠が、沈胴時に前記第２レンズ群保持枠を光軸方向に押圧するとともに繰出時にはその第２レンズ群保持枠から離間する押圧部を有するものであることを特徴とする。
【００２２】
上記本発明の第１のレンズ鏡胴によれば、沈胴時に、上記第１レンズ群保持枠が上記第２レンズ群保持枠を押圧することによって上記第２レンズ群保持枠を光軸方向前方にバネ付勢しているバネに反発力を蓄えさせるように縮めることで上記第１レンズ群と上記第２レンズ群とを密着させることができる。その結果、第１レンズ群と第２レンズ群との間に無駄な空きスペースを生じさせなくて済み、このレンズ鏡胴の更なる短縮化が図れる。また、第１レンズ群保持枠が第２レンズ群保持枠から離間した後、上記中間筒の回転による繰出量以上にバネ付勢により上記第２レンズ群が光軸前方に大きく繰り出されてズーム倍率の高倍率化が図れるというメリットも引き出される。
【００２３】
このようにすることで、沈胴時の長さの更なる短縮化はもとより、上記第２レンズ群の移動距離を長くしてズーム倍率を高めることができるレンズ鏡胴が実現される。
【００２４】
ここで、固定筒と、その固定筒に進退自在に係合した直進キー部材と、その直進キー部材に回転自在に係合するとともに上記固定筒との間のカム係合により回転に伴って進退する中間筒と、上記直進キー部材に進退自在に係合するとともに上記中間筒との間のカム係合によりその中間筒の回転に応じて進退する前筒とを備え、
上記第１レンズ群保持枠が、上記前筒に固定されたものであることが好ましい。
【００２５】
そうすると、第１レンズ群保持枠を固定した前筒により第２レンズ群保持枠がしっかりと押圧される。
【００２６】
また、上記中間筒との間のカム係合によりその中間筒の回転に応じて進退する第２レンズ群支持枠を備え、前記第２レンズ群保持枠が、上記第２レンズ群支持枠に、光軸方向前方にバネ付勢された態様のものであることが好ましい。
【００２７】
そうすると、繰出時もしくはズーミング中には第２レンズ群保持枠が第２レンズ群支持枠にバネ付勢された状態で中間筒の回転に応じて光軸方向に進退してズーム倍率が調節され、沈胴時には上記第２レンズ群保持枠が光軸方向前方にバネ付勢される力を蓄えるようにして上記第１レンズ群保持枠が上記第２レンズ群支持枠側に接近して上記第２レンズ群支持枠に収容される。
【００２８】
さらに、沈胴時に、上記第２レンズ群保持枠を回動させることにより上記第２レンズ群を上記ズームレンズの光軸から退避させるとともに繰出時にはその第２レンズ群をその光軸上に進出させる第２レンズ群退避機構を備え、
上記押圧部は、沈胴時に退避した状態の第２レンズ群保持枠を押圧するものであることが好ましい。
【００２９】
また、上記課題を達成する本発明の第１の撮影装置は、
複数のレンズ群により構成されたズームレンズを保持した、繰出し、沈胴自在なレンズ鏡胴を備え、そのレンズ鏡胴に保持されたズームレンズを経由して入射してきた被写体光を捉えることにより撮影を行う撮影装置であって、
上記レンズ鏡胴が、上記ズームレンズを構成する複数のレンズ群のうちの最前方の第１レンズ群を保持する第１レンズ群保持枠と、上記ズームレンズを構成する複数のレンズ群のうちの最前方から２番目の第２レンズ群を保持する第２レンズ群保持枠とを備え、
上記第２レンズ群保持枠が光軸方向前方にバネ付勢されたものであり、
上記第１レンズ群保持枠が、沈胴時に上記第２レンズ群保持枠を光軸方向に押圧するとともに繰出時には該第２レンズ群保持枠から離間する押圧部を有するものであることを特徴とする。
【００３０】
ここで、上記レンズ鏡胴に保持されたズームレンズを経由して入射してきた被写体光を捉えて画像信号を生成する撮像素子を備えたものであることが好ましい。
【００３１】
また、上記課題を達成する本発明の第２のレンズ鏡胴は、光軸方向前方から順に第１群、第２群、第３群および第４群からなるズームレンズを保持したレンズ鏡胴であって、
沈胴時には、少なくとも上記ズームレンズを保持する第４群レンズを撮影光軸上から退避させるとともに、繰出時には、沈胴時に退避させたレンズ群を撮影光軸上に進出させるレンズ進退機構を備えたことを特徴とする。
【００３２】
上記本発明の第２のレンズ鏡胴によれば、上記第４レンズ群を進退自在にする上記進退機構を設けることによって上記第４レンズ群を撮影光軸から退避させて、撮影光軸上に並べた上記第１レンズ群、上記第２レンズ群、上記第３レンズ群に対して立体的に第４レンズ群を詰め込むことができる。当然のことながら、いままでの機構（図１〜図４参照）を変更して第４レンズ群を退避させるためには、上記進退機構に図１に示したガイド棒や柱状ネジを含めることが必要になってくる。そのガイド棒や柱状ネジを進退機構に含めることは容易であり、具体的には図１に示す直進キーリング上にそのガイド棒や柱状ネジを載せることが考えられる。そうすると長々とガイド棒や柱状ネジを設ける必要がなくなった分の空きスペースに、撮影光軸から退避させた第４レンズ群を退避させることができる。その結果、沈胴時の、レンズ鏡胴の長さの短尺化が図れる。またそのレンズ進退機構により、繰出時に、上記第４群レンズを撮影光軸に精度良く進出させることによって繰出時の、レンズ鏡胴の長さの長尺化が図れる。
【００３３】
このようにすることで、沈胴時のレンズ鏡胴の短尺化と繰出時のレンズ鏡胴の長尺化との双方が図られたレンズ鏡胴が実現される。
【００３４】
ここで、上記第４群レンズは、フォーカスレンズとして作用するものであることが好ましい。
【００３５】
いままでは、フォーカスレンズを撮影光軸から退避させることは撮影光軸のずれに繋がるということで敬遠されてきたが、本発明では、上記撮影光軸から上記第４レンズ群を退避位置に退避させることは言うに及ばず、撮影光軸上に精度良く第４レンズ群を進出させる上記進退機構を設けることによってレンズ鏡胴の短尺化を実現させている。
【００３６】
上記レンズ進退機構が、沈胴時には上記第４群レンズを撮影光軸から退避させるとともに上記第２群レンズを光軸方向から見て退避後の上記第４群レンズに重なる位置に退避させるものであることが好ましい。
【００３７】
そうすると、退避後の上記第４群レンズと第２レンズ群とで撮影光学系を構成することもでき、第１レンズ群と第３レンズ群、第２レンズ群と第４レンズ群とで２眼式の撮影光学系を構成することもできる。
【００３８】
また、このレンズ鏡胴が、そのレンズ鏡胴に保持されたズームレンズを経由して入射してきた被写体光を捉えて画像信号を生成する撮像素子を備えたものであることが好ましい。
【００３９】
ここで、このレンズ鏡胴に保持されたズームレンズを経由して入射してきた被写体光を捉えて画像信号を生成する撮像素子を備えたものであることが好ましい。
【００４０】
このように撮像素子を備えたものであると、ピントを調整するときにその撮像素子で生成した画像信号に基づいて上記レンズ鏡胴の移動機構によりピントの調整を行うことができ、また電子ズームを光学ズームと併用することでこの撮影装置にさらなる高倍率化を達成することもできる。
【００４１】
また上記課題を達成する本発明の第２の撮影装置は、光軸方向前方から順に第１群、第２群、第３群および第４群からなるズームレンズを保持したレンズ鏡胴を備え、そのレンズ鏡胴に保持されたズームレンズを経由して入射してきた被写体光を捉えることにより撮影を行う撮影装置であって、
上記レンズ鏡胴が、沈胴時には、少なくとも上記ズームレンズを保持する第４群レンズを撮影光軸上から退避させるとともに、繰出時には、沈胴時に退避させたレンズ群を撮影光軸上に進出させるレンズ進退機構を備えたことを特徴とする。
【００４２】
このように上記本発明のレンズ鏡胴を撮影装置に組み込むことでこの撮影装置の薄型化が図れる。
【００４３】
ここで、上記第４群レンズは、フォーカスレンズとして作用するものであることが好ましく、また上記レンズ進退機構が、沈胴時には上記第４群レンズを撮影光軸から退避させるとともに上記第２群レンズを光軸方向から見て退避後の上記第４群レンズに重なる位置に退避させるものであることが好ましく、さらに、上記レンズ鏡胴に保持されたズームレンズを経由して入射してきた被写体光を捉えて画像信号を生成する撮像素子を備えたものであることが望ましい。
【００４４】
また本発明のレンズ鏡胴は、複数のレンズ群からなる撮影レンズを収容し、相対的に筒長の短い収納状態と相対的に筒長の長い撮影状態との間で筒長の変更が自在なレンズ鏡胴において、
前記複数のレンズ群のうちの最前方の第１レンズ群を保持する第１レンズ群保持枠と、
前記複数のレンズ群のうちの最前方から２番目の第２レンズ群を保持する第２レンズ群保持枠とを備え、
前記第２レンズ群保持枠が光軸方向前方に付勢手段により付勢されたものであり、
前記第１レンズ群保持枠が、前記収納状態への移行に伴い前記第２レンズ群保持枠を光軸方向に押圧するとともに前記撮影状態には該第２レンズ群保持枠から離間する押圧部を有するものであることを特徴とするものであってもよい。
【００４５】
その場合に、このレンズ鏡胴は、固定筒と、その固定筒に進退自在に係合した直進キー部材と、その直進キー部材に回転自在に係合するとともに上記固定筒との間のカム係合により回転に伴って進退する中間筒と、上記直進キー部材に進退自在に係合するとともに上記中間筒との間のカム係合によりその中間筒の回転に応じて進退する前筒とを備え、前記第１レンズ群保持枠が、前記前筒に固定されたものであってもよく、その場合に、さらに、前記中間筒との間のカム係合により該中間筒の回転に応じて進退する第２レンズ群支持枠を備え、前記第２レンズ群保持枠が、前記第２レンズ群支持枠に、光軸方向前方に前記付勢手段により付勢されたものであってもよい。
【００４６】
また、このレンズ鏡胴において、前記収納状態への移行に伴って前記第２レンズ群保持枠を回動させることにより前記第２レンズ群を前記ズームレンズの光軸から退避させるとともに前記撮影状態への移行に伴って該第２レンズ群を該光軸上に進出させる第２レンズ群退避機構を備え、
前記押圧部は、沈胴時に退避した状態の第２レンズ群保持枠を押圧するものであってもよい。
【００４７】
さらに、本発明のレンズ鏡胴は、光軸方向前方から順に第１レンズ群、第２レンズ群、第３レンズ群および第４レンズ群からなる撮影レンズを収容し、相対的に筒長の短い収納状態と相対的に筒長の長い撮影状態との間で筒長の変更が自在なレンズ鏡胴において、
前記収納状態への移行に伴って、少なくとも前記第４レンズ群を撮影光軸上から退避させるとともに、撮影状態への移行に伴って、前記収納状態への移行に伴って退避させたレンズ群を撮影光軸上に進出させるレンズ進退機構を備えたことを特徴とするのものであってもよい。
【００４８】
この場合に、前記第４レンズ群は、フォーカスレンズとして作用するものであってもよく、前記レンズ進退機構が、収納状態への移行に伴って前記第４レンズ群を撮影光軸から退避させるとともに前記第２群レンズを光軸方向から見て退避後の前記第４群レンズに重なる位置に退避させるものであってもよく、前記レンズ鏡胴に保持された撮影レンズを経由して入射してきた被写体光を捉えて画像信号を生成する撮像素子を備えたものであってもよい。
【００４９】
さらに、本発明のレンズ鏡胴は、光軸方向前方から順に第１レンズ群、第２レンズ群、第３レンズ群および第４レンズ群からなる撮影レンズを収容し、相対的に筒長の短い収納状態と相対的に筒長の長い撮影状態との間で筒長の変更が自在なレンズ鏡胴において、
前記収納状態への移行に伴って、少なくとも前記第３レンズ群を撮影光軸上から退避させるとともに、撮影状態への移行に伴って、前記収納状態への移行に伴って退避させたレンズ群を撮影光軸上に進出させるレンズ進退機構を備えたことを特徴とするものであってもよい。
【００５０】
その場合に、前記第３レンズ群は、ズーム用レンズとして作用するものであってもよく、また、前記レンズ鏡胴に保持された撮影レンズを経由して入射してきた被写体光を捉えて画像信号を生成する撮像素子を備えたものであってもよい。
【００５１】
また、本発明の撮影装置は、光軸方向前方から順に第１レンズ群、第２レンズ群、第３レンズ群および第４レンズ群からなる撮影レンズを収容し、相対的に筒長の短い収納状態と相対的に筒長の長い撮影状態との間で筒長の変更が自在なレンズ鏡胴を備え、該レンズ鏡胴に保持された撮影レンズを経由して入射してきた被写体光を捉えることにより撮影を行う撮影装置において、
前記収納状態への移行に伴って、少なくとも前記第３レンズ群を撮影光軸上から退避させるとともに、撮影状態への移行に伴って、前記収納状態への移行に伴って退避させたレンズ群を撮影光軸上に進出させるレンズ進退機構を備えたことを特徴とするものであってもよい。
【００５２】
この撮影装置において、前記第４レンズ群は、フォーカスレンズとして作用するものであってもよく、また、前記第３レンズ群は、ズーム用レンズとして作用するものであってもよく、また、前記レンズ鏡胴に保持された撮影レンズを経由して入射してきた被写体光を捉えて画像信号を生成する撮像素子を備えたものであってもよい。
【００５３】
さらに、本発明のレンズ鏡胴は、光軸方向前方から順に第１レンズ群、第２レンズ群、第３レンズ群および第４レンズ群からなる撮影レンズを収容し、相対的に筒長の短い収納状態と相対的に筒長の長い撮影状態との間で筒長の変更が自在なレンズ鏡胴において、
前記収納状態への移行に伴って、前記複数のレンズ群のうちの少なくとも１つのレンズ群を撮影光軸上から退避させるとともに、撮影状態への移行に伴って、前記収納状態への移行に伴って退避させたレンズ群を撮影光軸上に進出させるレンズ進退機構を備えたものであってもよい。
【００５４】
この場合に、前記レンズ鏡胴に保持された撮影レンズを経由して入射してきた被写体光を捉えて画像信号を生成する撮像素子を備えたものであってもよい。
【００５５】
さらに、本発明の撮影装置は、光軸方向前方から順に第１レンズ群、第２レンズ群、第３レンズ群および第４レンズ群からなる撮影レンズを収容し、相対的に筒長の短い収納状態と相対的に筒長の長い撮影状態との間で筒長の変更が自在なレンズ鏡胴を備え、該レンズ鏡胴に保持された撮影レンズを経由して入射してきた被写体光を捉えることにより撮影を行う撮影装置において、
前記収納状態への移行に伴って、前記複数のレンズ群のうちの少なくとも１つのレンズ群を撮影光軸上から退避させるとともに、撮影状態への移行に伴って、前記収納状態への移行に伴って退避させたレンズ群を撮影光軸上に進出させるレンズ進退機構を備えたことを特徴とするものであってもよく、その場合に、前記レンズ鏡胴に保持された撮影レンズを経由して入射してきた被写体光を捉えて画像信号を生成する撮像素子を備えたものであってもよい。
【００５６】
また、上記目的を達成する光学装置は、光軸方向前方から順に第１レンズ群、第２レンズ群、第３レンズ群および第４レンズ群からなるレンズを収容し、相対的に筒長の短い第１の状態と相対的に筒長の長い第２の状態との間で筒長の変更が自在なレンズユニットを備えた光学装置において、
前記第１の状態への移行に伴って、前記複数のレンズ群のうちの少なくとも１つのレンズ群を撮影光軸上から退避させるとともに、前記第２の状態への移行に伴って、前記第１の状態への移行に伴って退避させたレンズ群を光軸上に進出させるレンズ進退機構を備えたことを特徴とする。
【発明の効果】
【００５７】
以上、説明したように、沈胴時の長さを更に短縮化することができるレンズ鏡胴、そのレンズ鏡胴がボディに組み込まれた撮影装置、および、筒長の短かい状態の筒長の長さを更に短縮化することができるレンズを備えた光学装置が実現される。
【発明を実施するための最良の形態】
【００５８】
以下、本発明の実施の形態について説明する。
【００５９】
図５，図６は、本発明のレンズ鏡胴の一実施形態が組み込まれた本発明の撮影装置の一実施形態である、デジタルカメラ３００の外観斜視図である。
【００６０】
ここで、図５には、このデジタルカメラ３００に組み込まれたレンズ鏡胴３１０が沈胴状態にあるときの外観が示されており、図６には、そのレンズ鏡胴３１０が繰り出し状態にあるときの外観が示されている。
【００６１】
図５、図６に示すデジタルカメラ３００のレンズ鏡胴３１０には、後述するような４群で構成された撮影レンズが内蔵されており、それら４群のレンズ群のうち第２レンズ群を光軸方向に移動させることにより焦点距離調節が行なわれるとともに、第４レンズ群をフォーカスレンズとして光軸方向に移動させることによりピント調節が行なわれる。
【００６２】
図５および図６に示すデジタルカメラ３００の正面上部には、補助光発光窓３０２およびファインダ対物窓３０３が配置されている。また、このデジタルカメラ３００の上面には、シャッタボタン３０４が配置されている。
【００６３】
このデジタルカメラ３００の、図示しない背面には、ズーム操作スイッチが配備されており、このズーム操作スイッチの一方を押すと、押し続けている間、レンズ鏡胴３１０が望遠側に繰り出し、ズーム操作スイッチの他方を押すと、押し続けている間、レンズ鏡胴３１０が広角側に移動する。
【００６４】
図７，図８および図９は、図５，図６に示すデジタルカメラに組み込まれたレンズ鏡胴３１０の、光軸に沿う断面図である。この図７，図８および図９は、それぞれ、ワイド端、テレ端および沈胴状態を示す。また、図１０は、図７に示した状態のレンズ鏡胴を輪切りにして、図７に示す矢印Ａ−Ａ´の方向から見た断面図であり、図１１は、図８に示した状態のレンズ鏡胴を輪切りにして図８に示す矢印Ｂ−Ｂ´の方向から見た断面図であり、図１２は、図９に示した状態のレンズ鏡胴を輪切りにして、図９に示す矢印Ｃ−Ｃ´の方向から見た断面図である。尚、図７は、図１０に示す矢印Ｄ−Ｄ´に沿う断面図であり、図８は、図１１に示す矢印Ｅ−Ｅ´に沿う断面図であり、図９は、図１２に示す矢印Ｆ−Ｆ´に沿う断面図である。また、図１３は、図７〜図１２に示すレンズ鏡胴を構成する３段の筒のうちの最外郭側の筒の内周と、３段の筒の中間の筒の、内周に設けられたカム溝を説明する展開図である。以降の説明においては、３段筒の最外郭側の筒を固定筒３１３と記載し、３段筒の中間の筒を中間筒３１２と記載し、最内側の筒を前筒３１１と記載する。
【００６５】
このレンズ鏡胴３１０には、第１レンズ群４１０と第２レンズ群４２０と第３レンズ群４３０と第４レンズ群４４０とからなる４群構成のズームレンズが内蔵されている。この４群構成のズームレンズのうちの最後尾にある第４レンズ群４４０は、フォーカスレンズとして用いられる。
【００６６】
図７、図８、図９に示すように、第１レンズ群４１０は前筒３１１に保持されており、この前筒３１１にはカムピン３１１１（図８参照）が備えられている。このカムピン３１１１は、中間筒３１２の内周に設けられているカム溝３１２３（図８および図１３参照）と係合している。また、その中間筒３１２にもカムピン３１２４が備えられており、そのカムピン３１２４が固定筒３１３の内周のカム溝３１３１（図１３参照）と係合している。また、直進キーリング３２０には前筒３１１の凸部３１１２が嵌め合わされる直進溝３２０４が設けられており、その凸部３１１２と直進溝３２０４との嵌合部（図７参照）が前筒３１１の回転止めになっている。したがって、前筒３１０と直進キーリング３２０は光軸方向への相対移動のみが可能であり、光軸まわりの回転はしない。
【００６７】
ここで中間筒３１２はズームモータ３３００（図１１，図１２参照）により回転するように構成されており、ズームモータ３３００に駆動されて中間筒３１２が回転すると、固定筒３１３の内周面のカム溝３１３１の形状（図１３参照）に沿って中間筒３１２が回転しながら光軸方向に移動し、その回転しながら移動する中間筒３１２とのカム係合によりカム溝３１２３の形状に沿って前筒３１１が光軸方向に移動する。図１１、図１２には、ズームモータ３３００と中間筒３１２との連結状態が示されており、ズームモータ３３００から連結ギア３３０２（図９参照）によって中間筒３１２の内周に設けられたギア３１２５に回転力が与えられ、中間筒３１２が回転する構成が示されている。
【００６８】
また固定筒３１３の直進溝３１３２には直進キーリング３２０に設けられた直進キー３２０Ｋが進退自在に係合している。さらにこの直進キーリング３２０に設けられたカムピン３２０３が中間筒３１２の、円周方向に延びるカム溝３１２２（図８および図１３参照）と係合することによって中間筒３２０が直進キーリング３２０に回転自在に係合している。したがって、この中間筒３２０が固定筒３１３との間のカム係合により回転に伴って進退するとその中間筒３１２とともに直進キーリング３２０も進退する。
【００６９】
このように中間筒３１２は、光軸まわりの相対回転が可能であり、光軸方向には、直進キーリング３２０と一体的に移動可能である。
【００７０】
ここで各レンズ群を保持するレンズ群保持枠のうち、第２レンズ群４２０を保持する第２レンズ群保持枠４２１と第４レンズ群４４０を保持する第４レンズ群保持枠４４１と中間筒３１２との係わりと、直進キーリング３２０と第３レンズ群４３０との係わり、さらに中間筒３１２と固定筒３１３との係わりを、図７〜図１３を参照して詳細に説明する。また、本実施形態の例では、レンズ鏡胴の更なる短縮化を図るために第２レンズ群および第４レンズ群を退避位置に退避させる構成が示されている。この退避機構についても各レンズ群の係わりを説明していく中で随時説明する。
【００７１】
まず、第２レンズ群４２０を保持する第２レンズ群保持枠４２１は直進キーリング３２０から延びている第２レンズ群支持枠４２２に移動自在に支持されており、そのレンズ群支持枠４２２の外周にカムピン３２１１が備えられている。そのカムピン３２１１は、直進キーリング３２０のキー溝３２０ａを貫通して中間筒３１２の内周に設けられたカム溝３１２１（図７および図１３参照）と係合している。また、図７〜図１２に示すように、直進キーリング３２０は、第２レンズ群支持枠４２２を介して第２レンズ群保持枠４２１を支持するとともに第３レンズ群４３０を直接支持しており、さらに第４レンズ群４４０を、柱状ネジ３２０１（図８参照）からなる移動機構を介して支持している。
【００７２】
前述したように直進キーリング３２０に支持されている第２レンズ群支持枠４２２にはカムピン３２１１が設けられており、そのカムピン３２１１が直進キーリング３２０のキー溝３２０ａを貫通して中間筒３１２のカム溝３１２１と係合している。このカムピン３２１１がカム溝３１２１の形状に沿って移動すると、そのキー溝３２０ａに案内されて第２レンズ群４２０がテレ端からワイド端まで、あるいはワイド端からテレ端まで移動する。
【００７３】
また中間筒３１２は、その外周に植設されたカムピン３１２４を備えており、そのカムピン３１２４が固定筒３１３の内周に設けられたカム溝３１３１と係合している。このカム溝３１３１は、図９に示す沈胴状態から図８に示すテレ端まで繰り出す間に所定の角度回転するように溝（図１３中、符号ｋで示す領域）が延びている。したがってズームモータ３３００（図１１，図１２参照）からの駆動力を受けて、中間筒３１２は、そのカム溝３１３１に従って、沈胴状態（図９）からテレ端（図８）に至る間に所定の角度だけ回転しながら光軸方向に繰り出され、その中間筒３１２の繰り出しにしたがって、前筒３１１はカム溝３１２３の形状（図１３中、符号ｍで示す領域）に沿って回転せずに繰り出される。この中間筒３１２が繰り出された状態にあるときに、ズームスイッチがワイド側に操作されると、中間筒３１２はその位置（図１３中、符号ｌで示す領域）で回転し、その回転により第２レンズ群４２０がカム溝３１２１の形状（図１３中、符号ｐで示す領域）に沿ってワイド端まで移動する。このようにしてズームスイッチの操作に応じたズーミングが行なわれる。
【００７４】
ここで第２レンズ群４２０を保持する第２レンズ群保持枠４２１は、第２レンズ群支持枠４２２に支持されており、その第２レンズ群支持枠４２２は直進キーリング３２０に支持されている。この第２レンズ群支持枠４２２には第２レンズ群保持枠４２１を光軸から退避させるように第２レンズ群保持枠４２１を回転させる回動軸４２２ａが設けられている。一方、第２レンズ群保持枠４２１には、その回動軸４２２ａと嵌合する貫通孔４２２ｃが穿設されている。第２レンズ群保持枠４２１の貫通孔４２２ｃを通して回動軸４２２ａが挿通され、その第２レンズ群保持枠４２１が光軸前方に付勢されるように回動軸４２２ａの基端側にはバネ４２２ｂが巻回されている。このバネ４２２ｂは捻じりばねの作用も持っており、回動軸４２２ａを中心にして第２レンズ群保持枠４２１を回動させる方向に付勢するためのものでもある。沈胴時には、このバネ４２２ｂが前筒３１１にある押圧部３１１ａに第２レンズ群保持枠４２１が押圧されるため基端側に第２レンズ群４２０が移動して鏡胴内にコンパクトに収納され（図９参照）、繰出時には第１レンズ群４１０を保持する前筒の押圧部３１１ａ（図７参照）が第２レンズ群支持枠４２２から離間するため、そのバネ４２２ｂにより第２レンズ群４２０が光軸前方に付勢される。このときには、バネ４２２ｂにより第２レンズ群保持枠４２０が回動方向にも付勢されて第２レンズ群４２０の中心が光軸と精度良く一致するように第２レンズ群保持枠４２１の突起部４２１２が止棒４２２１に当接してその当接位置に第２レンズ群が保持される。
【００７５】
また第２レンズ群保持枠４２１には回動軸４２２ａを境にして一方側に保持枠４２１が、他方側に延設部４２１１が設けられている。この延設部４２１１は、第２レンズ群４２０が直進キーリング３２０とともに沈胴していくときに切替凸部３１３３に係合するものであり、切替凸部３１３３は直進キーリング３２０が後退する方向に沿って斜面を有するものである。
【００７６】
したがって、この延設部４２１１が沈胴時に切替凸部３１３３の斜面に沿って移動すると、レンズ群保持枠４２１が回動軸４２２ａを中心に直進キーリング３２０に当接する位置（図１２参照）まで回転する。
【００７７】
この実施例では、第２レンズ群保持枠４２１と、その保持枠４２１の延設部４２１１と、その保持枠４２１の、その延設部とは反対側の端部４２１２と、捻りバネ４２１ｂと、直進キーリング３２０に支持された第２レンズ群支持枠４２２に設けられた止め棒４２２１と、本体側に設けられた切替凸部３１３３とを含む一連の部材で第２レンズ群４２０の進退機構が構成されている。
【００７８】
また、第３レンズ群４３０は直接直進キーリング３２０に支持されており、その直進キーリング３２０には、フォーカスモータ３２００とそのフォーカスモータ３２００のギアヘッドに噛合されている柱状ネジ３２０１とからなる移動機構を介して第４レンズ群４４０も支持されている。この第４レンズ群４４０はレンズ群保持枠４４１に保持され、そのレンズ群保持枠４４１には貫通孔４４１ａが設けられ、その貫通孔４４１ａに直進キーリング３２０に設けられたガイド棒３２０２が挿通されている。また柱状ネジ３２０１には、その柱状ネジ３２０１に螺合するナット３２０１ａが螺入されており、そのナット３２０１ａがレンズ群保持枠４４１に設けられた突出部４４１１と係合している。一方、レンズ群保持枠４４１を光軸方向に精度良く案内するガイド棒３２０２にはバネ４４１ｂが巻回されており、そのバネ４４１ｂによりレンズ群保持枠４４１がそのナット３２０１ａ側に付勢されている。
【００７９】
この例においては、その第４レンズ群保持枠４４１にも第２レンズ群保持枠４２１と同様の進退機構が設けられており、第４レンズ群保持枠４４１の延設部４４１１がもう一本の退避ガイド３１３４と沈胴時に係合すると第４レンズ群４４０が第２レンズ群４２０と同様に光軸から退避する（図１２参照）。そうすると第１レンズ群４１０と第３レンズ群４３０をできる限り押し込んで並べて詰め込み、さらにその第１レンズ群４１０と第３レンズ群４３０の上部または下部に第２レンズ群４２０と第４レンズ群４４０を立体的に詰め込むことができ、鏡胴の更なる短縮化が図れる。
【００８０】
また前述したように第４レンズ群４４０を光軸方向に移動させるためのフォーカスモータ３２００も直進キーリング３２０に支持されており、図８に示す柱状ネジ３２０１には、直進キーリング３２０に支持されたフォーカスモータ３２００の回転駆動力がギア列を介して伝達されてこの柱状ネジ３２０１が回転する。その回転に伴ってその柱状ネジ３２０１の回転に応じた分だけ、その柱状ネジ３２０１に回転自在に螺入されたナット３２０１ａが移動してそのナット３２０１ａと係合しているレンズ群保持枠４４１が移動してピントが調整される。
【００８１】
ここでは、撮像素子５００で生成された画像データに基づいて図示しない制御装置から直進キーリングに支持されているフォーカスモータ３２００へ駆動指令が発せられてピントの調整が行なわれて撮影が行われる。
【００８２】
このようにしてピントの調整が行われた後、シャッタボタン３０４が押されたら、直進キーリングに支持されているシャッタユニット３３０が駆動され、さらに電子シャッタが駆動されて撮影が行なわれる。これにより、第１レンズ群４１０、第２レンズ群４２０、第３レンズ群４３０、および第４レンズ群（フォーカスレンズ）４４０を経由した被写体光は、撮像素子５００の受光面に結像し、撮像素子５００では、その受光面上に結像した被写体像を表わす画像信号が生成される。なお、図７〜図１２にはフォーカスモータやシャッタユニットに指令を伝達するための配線ケーブルを図示していない。
【００８３】
このように光軸方向に移動する直進キーリング３２０に、第２レンズ群４２０と第３レンズ群４３０と、柱状ネジ３２０１を介して第４レンズ群４４０も支持させて、さらにその柱状ネジ３２０１を回転させるフォーカスモータ３２００も支持させることによって、直進キーリングとともに第４レンズ群をピント付近にまで移動させておいて、ピント調整を行う段階では柱状ネジを回転させることにより第４レンズ群の位置を微調する構成になっている。
【００８４】
このようにすると、撮像素子の受光面から光軸方向に長く延びる柱状ネジやガイド棒を設けて、その柱状ネジを回転させることにより第４レンズ群を長々とガイド棒に沿って移動させる必要がなくなる。このため、撮像素子５００と第４レンズ群４４０との間に妨害物のない空きスペースが生じ、沈胴時にはその空きスペースに光軸から退避位置に退避させた第２レンズ群４２０と第４レンズ群４４０を立体的に詰め込む（図９参照）ことができ、鏡胴の長さをいままでよりも遥かに短くすることが可能になる。また、前筒３１１に押圧部３１１ａを設けて、沈胴時には第２レンズ群保持枠４２１を第２レンズ群支持枠４２２側に押圧してバネ４２２ｂを縮めることによって第１レンズ群４１０と第２レンズ群４２０を限りなく密着させるとともに、繰出時には第２レンズ群をバネにより光軸前方に付勢して光軸前方に大きく繰出すことができる。
【００８５】
そうすると、図５、図６に示すデジタルカメラ３００が薄型のボディであっても、レンズ鏡胴３１０の沈胴時にはレンズ鏡胴３１０がカメラボディ内に収納され、また４群構成からなるズームレンズを保持したレンズ鏡胴３１０がカメラボディから繰り出された時には、このデジタルカメラ３００でズーム倍率の高い撮影が楽しめる。
【００８６】
最後に図５、図６のデジタルカメラの内部構成を簡単に説明しておく。
【００８７】
図１３は、本実施形態のデジタルカメラの回路構成を示すブロック図である。
【００８８】
このデジタルカメラ１には、図７〜図９に示す第１レンズ群４１０と第２レンズ群４２０と第３レンズ群４３０と第４レンズ群４４０とからなる４群構成のズームレンズ４００、シャッタユニット３３０、および撮像素子５００が備えられている。ズームレンズ４００およびシャッタユニット３３０を経由して撮像素子５００上に結像された被写体像は、撮像素子５００により、アナログの画像信号に変換される。ここで、シャッタユニット３３０は、撮像素子に照射される光量を制限する絞りと撮像素子５００からアナログ信号を読み出すにあたり光によるスミアの発生を抑えるためのシャッタとから構成されている。
【００８９】
また、ここには補助光発光部６００が備えられており、この補助光発光部６００は、低輝度時に、図５，図６に示す補助光発光部６００からデジタルカメラ前方に向けて補助光を発光する。また、この補助光発光部６００は、低輝度以外の必要時にも発光させることができる。
【００９０】
また、このデジタルカメラ３００には、アナログ信号処理部５０１と、Ａ／Ｄ部５０２と、デジタル信号処理部５０３と、テンポラリメモリ５０４と、圧縮伸長部５０５と、内蔵メモリ（またはメモリカード）５０６と、画像モニタ５０７と、駆動回路５０８とが備えられている。撮像素子固体撮像素子５００は、駆動回路５０８内のタイミング発生回路（図示せず）によって発生したタイミングで駆動され、アナログの画像信号を出力する。また、駆動回路５０８には、撮影レンズ４００、シャッタユニット、補助光発光部６００等を駆動する駆動回路も含まれている。撮像素子３２０から出力されたアナログの画像信号は、アナログ信号処理部５０１でアナログ信号処理され、Ａ／Ｄ部５０２でＡ／Ｄ変換されてデジタル信号処理部５０３でデジタル信号処理される。デジタル信号処理された後の画像を表わす画像データはテンポラリメモリ５０４に一時的に格納される。テンポラリメモリ５０４に格納された画像データは、圧縮伸長部５０５で圧縮されて内蔵メモリ（またはメモリカード）５０６に記録される。尚、撮影モードによっては、圧縮の過程を省いて内蔵メモリ（またはメモリカード）５０６に直接記録してもよい。また、テンポラリメモリ５０４に格納された画像データは画像モニタ５０７に読み出され、これにより画像モニタ５０７に被写体の画像が表示される。
【００９１】
さらに、このデジタルカメラ３００には、このデジタルカメラ３００全体の制御を行なうＣＰＵ５０９と、ズーム操作スイッチ等を含む操作スイッチ群５１０と、シャッタボタン３０４とが備えられており、操作スイッチ群５１０を操作して、所望の画角に設定することを含む所望の撮影状態に設定してシャッタボタン３０４を押下することにより、写真撮影すなわち上述の画像データの生成が行なわれる。
【００９２】
上記実施形態では、第４レンズ群４４０と第２レンズ群４２０を退避させたが、第４レンズ群４４０のみを退避させても良い。
【００９３】
図１５〜図２０は、第４レンズ群４４０を退避させる進退機構を有するレンズ鏡胴の構成を示す図である。この図１５〜図２０に示すレンズ鏡胴３１０が図５、図６に示すカメラに組み込まれたものとして以降説明する。図１５〜図２０に示すレンズ鏡胴３１０の構成は、図１０に示す第２レンズ群の進退機構の一部にあたる切替凸部３１３３が削除され、第２レンズ群保持枠４２１ａの形状が若干変更されている以外、図７〜図１２に示したものと同様の構成である。
【００９４】
図１５，図１６および図１７は、図５，図６に示すデジタルカメラに組み込まれたレンズ鏡胴３１０の、光軸に沿う断面図である。この図１５，図１６および図１７は、それぞれ、ワイド端、テレ端および沈胴状態を示す。また、図１８は、図１５に示した状態のレンズ鏡胴を輪切りにして、図１５に示す矢印Ａ−Ａ´の方向から見た断面図であり、図１９は、図１６に示した状態のレンズ鏡胴を輪切りにして図１６に示す矢印Ｂ−Ｂ´の方向から見た断面図であり、図２０は、図１７に示した状態のレンズ鏡胴を輪切りにして、図１７に示す矢印Ｃ−Ｃ´の方向から見た断面図である。尚、図１５は、図１８に示す矢印Ｄ−Ｄ´に沿う断面図であり、図１６は、図１９に示す矢印Ｅ−Ｅ´に沿う断面図であり、図１７は、図２０に示す矢印Ｆ−Ｆ´に沿う断面図である。
【００９５】
前述したように第４レンズ群４４０はフォーカスレンズ群として作用するので特に光軸をあわせることが大事である。第１の実施形態においては説明を省略したが、第４レンズ群４４０を保持するレンズ群保持枠４４１も第２レンズ群保持枠４２１と同様に撮影光軸に第４レンズ群４４０を精度良く進出させる機構を有している。その機構は第２レンズ群保持枠４２１と同様の構成であって、第４レンズ群保持枠４４１の端部４４１２が直進キーリング３２０に設けられた止め棒３２０５に当て止めされてフォーカスレンズの中央が光軸に精度良く一致するように構成されている（図１６参照）。また、この第２実施形態における進退機構も、第１実施形態と同様に捻りバネ４４１ｂと切替凸部３１３４（図１５参照）と第４レンズ群保持枠４４１の延設部４４１１と、その第４レンズ群保持枠４４１の端部４４１２（図１６参照）と、直進キーリング３２０に支持された止め棒３２０５（図１６参照）とを備えている。第４レンズ群４４０が直進キーリング３２０とともに沈胴していくときにその延設部４４１１が切替凸部３１３４に係合して切替凸部３１３４の斜面に沿って延設部４４１１が移動していくにしたがってレンズ群保持枠４４１が回動軸３２０２を中心に直進キーリング３２０に当接する位置（図２０参照）まで回転する。そうすると第１レンズ群４１０と第２レンズ群４２０と第３レンズ群４３０とをできる限り押し込んで並べて詰め込み、さらにその第１レンズ群４１０と第２レンズ群４２０と第３レンズ群４３０の上部または下部に第４レンズ群４４０を立体的に詰め込むことができるため鏡胴の更なる短縮化が図れる。
【００９６】
以上説明したように少なくとも第４レンズ群４４０を撮影光軸から退避させる進退機構を設けることによりレンズ鏡胴の短尺化が実現され、その短尺化されたレンズ鏡胴を撮影装置に組み込むことで撮影装置の薄型化も図れる。
【００９７】
本実施形態では、少なくともフォーカスレンズである第４レンズ群４４０を撮影光軸から退避させる進退機構の構成を示したが、いずれかのレンズ群を撮影光軸から退避させる構成はいくらでも考えられる。そこで最後にいずれかのレンズ群を退避させる構成を退避させた後のレンズ群の配置の組み合わせを示すことで簡単に以降説明しておく。
【００９８】
図２１は繰出時の４群からなる撮影レンズの配置を示す図であり、図２２は沈胴時の４群からなる各レンズ群の配置を示す図である。図２２（ａ）〜図２２（ｓ）には４群からなるレンズ群のうちの少なくとも一つのレンズ群を撮影光軸から退避させる場合にどのような組み合わせがあるかが示されている。
【００９９】
図２２（ａ）から図２２（ｊ）には図７〜図９と同様の進退機構によって鏡胴内の筒の円周方向に第１レンズ群、第２レンズ群、第３レンズ群、第４レンズ群のうちのいずれかを撮影光軸から退避させた場合の各レンズ群の配置が示されており、図２２（ｋ）から図２２（ｓ）には筒の長手方向に第１レンズ群、第２レンズ群、第３レンズ群、および第４レンズ群のうちの少なくとも一つを進出機構によって退避させた場合の配置が示されている。また図２２（ｆ）以降の例ではＣＣＤ脇の窪み部にレンズ群を退避させて、さらなるレンズ鏡胴の短縮化を図った例が示されている。
【０１００】
前述したように第４レンズ群保持枠４４１と、その第４レンズ群保持枠に設けられた延設部４４１１などからなる進退機構とが直進キーリング３２０に支持され、レンズ鏡胴が沈胴するときには直進キーリング３２０とともに光軸後方に後退しながらその延設部が切替凸部３３１４と係合することによりレンズ群が退避する訳であるから、本発明にいう進退機構は、広い意味ではカム機構を含めたものにもなる。
【０１０１】
そこで、少なくとも一つのレンズ群が進退機構により回動されることに加えて、そのカム機構によりその退避したレンズ群を光軸方向に後退させることを示すため、進退機構による回動については通常の矢印で、またカム機構による後退については白抜矢印で図中区別して示した。
【０１０２】
また各レンズ群のレンズ径はそれぞれ異なることが多く、それらのレンズ群の径も撮影光学系によって様々なものがある。そこで各レンズ群のレンズ径が異なるものを退避させる場合には退避させる順番が必要になるものもあるので図中順番を示す符号を付してあるものもある。
【０１０３】
このように、鏡胴内の筒の円周方向に各レンズ群のうち少なくとも一つを回動することにより撮影光軸からレンズ群を退避させることも、鏡胴長手方向に回動して撮影光軸から退避させた後の状態が光軸と平行になるように退避させることもできる。また、進退機構によって撮影光軸からレンズ群を退避させるだけでなく、その進退機構を直進キーリングに支持させることによって進退機構自体も後退させることによって退避したレンズ群をさらに後方に後退させているのでいままに比べて遥かに短い長さのレンズ鏡胴が実現される。
【０１０４】
また、進退機構により２つのレンズ群を退避させた場合には、その退避させたレンズ群と残りのレンズ群とで撮影光学系をそれぞれ構成することもできる。
【０１０５】
図２３は、その場合の２つの撮影光学系を示す図である。
【０１０６】
図２３に示すように退避した第２群と第４群と、残りの第１群と第３群とで２つの撮影光学系が構成され、退避した側の撮影光学系の後方に２つ目の撮像素子５００ａを設けると、２眼式の撮影光学系が構成される。このように退避させるだけでなく、退避させたレンズ群と残りのレンズ群を用いることによって様々な拡張が考えられる。
【０１０７】
また、以上の実施形態はデジタルカメラを念頭に置いた実施形態であるため、そのレンズ鏡胴について沈胴、繰出しという用語を用いたが、本発明はデジタルカメラ等の撮影装置に限られたものではなく、筒長が伸縮するレンズを備えた光学装置に広く適用可能である。
【０１０８】
ここで、複数のレンズ群で構成されるレンズユニットを持つ光学装置に、上記本発明の技術が適用可能であるので、その光学装置を例に掲げて以降説明する。
【０１０９】
図２４は、その光学装置の一例である光ピックアップ装置の構成を示す図である。
【０１１０】
図２４に示す光ピックアップ装置７０は，半導体レーザ１１と，この半導体レーザ１１から出射する発散光を光ディスク２０上に導くための光学系とを含んでいる。この光学系は、光軸方向前方から順に第１レンズ群、第２レンズ群、第３レンズ群および第４レンズ群からなるレンズを収容し、相対的に筒長の短い第１の状態と相対的に筒長の長い第２の状態との間で筒長の変更が自在なレンズユニットで構成されている。そのレンズユニットが上記第２の状態から上記第１の状態への移行に伴って、複数のレンズ群のうちの少なくとも１つのレンズ群を光軸上から退避させるとともに、上記第１の状態から第２の状態への移行に伴って退避させたレンズ群を光軸上に進出させるレンズ進退機構を備えている。
【０１１１】
ここで、図２４に示す光ピックアップ装置７０の動作を簡単に説明しておく。
【０１１２】
この光ピックアップ装置７０は、半導体レーザ７１から出射する発散光を上記レンズユニットで構成される光学系７３によって光ディスク７３上に集光させるものであって、その集光によって光ディスク７３上に画像信号の記録を行なうものである。この図２４に示す光ピックアップ装置７０では、半導体レーザ７１の出力強度を調整するために光軸に対して傾斜しているガラス板７４にその一部を反射させた光を光検出器７６により検出してその検出信号を半導体レーザの駆動装置（図示せず）に帰還することによって半導体レーザ７１の出射光の強度を制御している。また、このピックアップ装置７０では、光ディスク７３からの戻り光を、光検出器７７、７８それぞれで検出することによりフォーカシング・エラー信号およびトラッキング・エラー信号を生成している。
【０１１３】
このような光学装置に上記レンズユニットを適用すると、未使用時には筐体内にコンパクトに収容される光学装置が実現される。
【０１１４】
図２５は、光学装置の別例である液晶プロジェクタ８０を示す図である。
【０１１５】
図２５に示すように、ランプ８１と、ランプ８１から光軸後方に向けて放射される白色光を光軸前方へ向けるように反射する楕円形反射器８２と、その楕円形反射器８２から外れる光を楕円形反射器８２側へ再び反射させる、放射孔を有する円形反射器８３と、楕円形反射器８２により生成された偏光光の経路を変え液晶パネル８５に集光させるコンデンシングレンズ８４と、そのコンデンシングレンズ８４により集光された光を変調する液晶パネル８５と、液晶パネル８５により変調されたＲ，Ｇ，Ｂの光をスクリーン８７上に結像させる投射レンズ８６とから構成されている。この投射レンズ８６に、前述したレンズ鏡胴と同様の構成のレンズユニットを適用することができる。そうすると未使用時には投射レンズ８６が液晶プロジェクタ内にコンパクトに収容される光学装置が実現される。
【図面の簡単な説明】
【０１１６】
【図１】従来のデジタルカメラに組み込まれたレンズ鏡胴の、光軸に沿う断面図であって、レンズ鏡胴がワイド端にあるときの状態を示す図である。
【図２】従来のデジタルカメラに組み込まれたレンズ鏡胴の、光軸に沿う断面図であって、レンズ鏡胴がテレ端にあるときの状態を示す図である。
【図３】従来のデジタルカメラに組み込まれたレンズ鏡胴の、光軸に沿う断面図であって、レンズ鏡胴が沈胴している状態を示す図である。
【図４】内筒１１０を繰り出すとともに第２レンズ群２２０と第３レンズ群２３０の間隔を調節して焦点距離を調節する、外筒１２０の内周面に設けられたカム溝を説明するための展開図である。
【図５】本発明のレンズ鏡胴の一実施形態が組み込まれた本発明の撮影装置の一実施形態である、デジタルカメラ３００の外観斜視図である。
【図６】図５のデジタルカメラが有するレンズ鏡胴が繰り出された状態を示す図である。
【図７】図５，図６に示すデジタルカメラに組み込まれたレンズ鏡胴３１０の、光軸に沿う断面図であって、レンズ鏡胴がワイド端にあるときの状態を示す図である。
【図８】図５，図６に示すデジタルカメラに組み込まれたレンズ鏡胴３１０の、光軸に沿う断面図であって、レンズ鏡胴がテレ端にあるときの状態を示す図である。
【図９】図５，図６に示すデジタルカメラに組み込まれたレンズ鏡胴３１０の、光軸に沿う断面図であって、レンズ鏡胴が沈胴している状態を示す図である。
【図１０】図７に示す図の中にある線に沿ってレンズ鏡胴を切断して矢印の方向から見た図である。
【図１１】図８に示す図の中にある線に沿ってレンズ鏡胴を切断して矢印の方向から見た図である。
【図１２】図９に示す図の中にある線に沿ってレンズ鏡胴を切断して矢印の方向から見た図である。
【図１３】中間筒の内周に設けられたカム溝を説明する展開図である。
【図１４】本実施形態のデジタルカメラの回路構成を示すブロック図である。
【図１５】図５，図６に示すデジタルカメラに組み込まれたレンズ鏡胴３１０の、光軸に沿う断面図であって、レンズ鏡胴がワイド端にあるときの状態を示す図である。
【図１６】図５，図６に示すデジタルカメラに組み込まれたレンズ鏡胴３１０の、光軸に沿う断面図であって、レンズ鏡胴がテレ端にあるときの状態を示す図である。
【図１７】図５，図６に示すデジタルカメラに組み込まれたレンズ鏡胴３１０の、光軸に沿う断面図であって、レンズ鏡胴が沈胴している状態を示す図である。
【図１８】図１５に示す図の中にある線に沿ってレンズ鏡胴を切断して矢印の方向から見た図である。
【図１９】図１６に示す図の中にある線に沿ってレンズ鏡胴を切断して矢印の方向から見た図である。
【図２０】図１７に示す図の中にある線に沿ってレンズ鏡胴を切断して矢印の方向から見た図である。
【図２１】繰出時の４群からなる撮影レンズの配置を示す図である。
【図２２（ａ）】沈胴時の各レンズ群の配置を示す図である。
【図２２（ｂ）】沈胴時の各レンズ群の別の配置を示す図である。
【図２２（ｃ）】沈胴時の各レンズ群の別の配置を示す図である。
【図２２（ｄ）】沈胴時の各レンズ群の別の配置を示す図である。
【図２２（ｅ）】沈胴時の各レンズ群の別の配置を示す図である。
【図２２（ｆ）】沈胴時の各レンズ群の別の配置を示す図である。
【図２２（ｇ）】沈胴時の各レンズ群の別の配置を示す図である。
【図２２（ｈ）】沈胴時の各レンズ群の別の配置を示す図である。
【図２２（ｉ）】沈胴時の各レンズ群の別の配置を示す図である。
【図２２（ｊ）】沈胴時の各レンズ群の別の配置を示す図である。
【図２２（ｋ）】沈胴時の各レンズ群の別の配置を示す図である。
【図２２（ｌ）】沈胴時の各レンズ群の別の配置を示す図である。
【図２２（ｍ）】沈胴時の各レンズ群の別の配置を示す図である。
【図２２（ｎ）】沈胴時の各レンズ群の別の配置を示す図である。
【図２２（ｏ）】沈胴時の各レンズ群の別の配置を示す図である。
【図２２（ｐ）】沈胴時の各レンズ群の別の配置を示す図である。
【図２２（ｑ）】沈胴時の各レンズ群の別の配置を示す図である。
【図２２（ｒ）】沈胴時の各レンズ群の別の配置を示す図である。
【図２２（ｓ）】沈胴時の各レンズ群の別の配置を示す図である。
【図２３】退避させたレンズ群と残りのレンズ群とで構成された２つの撮影光学系を示す図である。
【図２４】光学装置の一例である光ピックアップ装置の構成を示す図である。
【図２５】光学装置の別例である液晶プロジェクタ８０を示す図である。
【符号の説明】
【０１１７】
７０    光ピックアップ装置
７１    半導体レーザ
７２    レンズユニット
７３    光ディスク
７４，７５    ガラス板
７６，７７，７８  光検出器
８０    プロジェクタ
８１    ランプ
８２    楕円反射器
８３    円形反射器
８４    コンデンシングレンズ
８５    液晶パネル
８６    レンズユニット
８７    スクリーン
３００    撮影装置
３０２    補助光発光窓
３０３    ファインダ対物窓
３０４    シャッタボタン
３１０    レンズ鏡胴
３１１    前筒
３１１１    カムピン
３１２    中間筒
３１２１    カム溝
３１２２    カム溝
３１２３    カム溝
３１２４    カムピン
３１３    固定筒
３１３１    カム溝
３２０    直進キーリング
３２００    フォーカスモータ
３２０１    柱状ネジ
３２０２    連結ギア
３２０３    カムピン
４００    撮影レンズ
４１０    第１レンズ群
４２０    第２レンズ群
４２１    レンズ群保持枠
４２２    レンズ群支持枠
４３０    第３レンズ群
４４０    第４レンズ群
４４１    レンズ群保持枠
５００    撮像素子
【図１】
2005284247.tif 000003
【図２】
2005284247.tif 000004
【図３】
2005284247.tif 000005
【図４】
2005284247.tif 000006
【図５】
2005284247.tif 000007
【図６】
2005284247.tif 000008
【図７】
2005284247.tif 000009
【図８】
2005284247.tif 000010
【図９】
2005284247.tif 000011
【図１０】
2005284247.tif 000012
【図１１】
2005284247.tif 000013
【図１２】
2005284247.tif 000014
【図１３】
2005284247.tif 000015
【図１４】
2005284247.tif 000016
【図１５】
2005284247.tif 000017
【図１６】
2005284247.tif 000018
【図１７】
2005284247.tif 000019
【図１８】
2005284247.tif 000020
【図１９】
2005284247.tif 000021
【図２０】
2005284247.tif 000022
【図２１】
2005284247.tif 000023
【図２２（ａ）】
2005284247.tif 000024
【図２２（ｂ）】
2005284247.tif 000025
【図２２（ｃ）】
2005284247.tif 000026
【図２２（ｄ）】
2005284247.tif 000027
【図２２（ｅ）】
2005284247.tif 000028
【図２２（ｆ）】
2005284247.tif 000029
【図２２（ｇ）】
2005284247.tif 000030
【図２２（ｈ）】
2005284247.tif 000031
【図２２（ｉ）】
2005284247.tif 000032
【図２２（ｊ）】
2005284247.tif 000033
【図２２（ｋ）】
2005284247.tif 000034
【図２２（ｌ）】
2005284247.tif 000035
【図２２（ｍ）】
2005284247.tif 000036
【図２２（ｎ）】
2005284247.tif 000037
【図２２（ｏ）】
2005284247.tif 000038
【図２２（ｐ）】
2005284247.tif 000039
【図２２（ｑ）】
2005284247.tif 000040
【図２２（ｒ）】
2005284247.tif 000041
【図２２（ｓ）】
2005284247.tif 000042
【図２３】
2005284247.tif 000043
【図２４】
2005284247.tif 000044
【図２５】
2005284247.tif 000045